(57)【特許請求の範囲】
【請求項１】
上部及び２つの側部を有し且つ前記側部上に接触部を備えるコンタクト部材であって、初期状態における前記接触部間の距離が所定距離であるコンタクト部材と、
前記コンタクト部材の前記上面を下方向に向けて加圧して前記接触部間の距離を前記所定距離と異ならせるように前記コンタクト部材を変形させるための加圧手段と
を備えており、
前記接触部を相手方コネクタの有する相手方コンタクトに対向させた状態において、前記加圧手段を用いた加圧により前記コンタクト部材を変形させることにより、前記接触部を前記相手方コンタクトに接触させる、コネクタ。
【請求項２】
前記コンタクト部材は、弾性体ブロックとフィルムとを備えており、
前記弾性体ブロックは、２つの側面並びに上面及び下面を有しており、
初期状態における前記側面間の距離は前記所定距離であり、
前記フィルムには、前記接触部を有する導体パターンが形成されており、
前記フィルムは、前記接触部が前記側面上に位置し且つ前記導体パターンが前記側面から前記下面にかけて配設されるように、前記弾性体ブロック上に取り付けられており、
前記接触部を前記相手方コンタクトに対向させた状態において前記加圧手段を用いた前記弾性体ブロックの前記上面に対する前記加圧がなされると、前記側面間の距離が前記所定距離と異なるように前記弾性体ブロックが変形し、それによって、前記接触部が前記相手方コンタクトに接触する
請求項１記載のコネクタ。
【請求項３】
当該コネクタは、基板上に取り付けられるものであり、
前記コンタクト部材は、コンタクトと、該コンタクトを保持するコンタクト保持部材とを備えており、
前記コンタクト保持部材は、２つの側面並びに上面及び下面を有しており、
前記コンタクトは、前記接触部と、前記コネクタが前記基板上に取り付けられた際に前記基板に当接する当接部とを有しており、
前記コンタクトは、前記当接部が前記コンタクト保持部材の前記下面よりも下側に位置するように、前記コンタクト保持部材に保持されており、
前記接触部を前記相手方コンタクトに対向させた状態において前記加圧手段を用いた前記コンタクト保持部材の前記上面に対する前記加圧がなされると、前記接触部間の距離が前記所定距離と異なるように前記コンタクトが変形し、それによって、前記接触部が前記相手方コンタクトに接触する
請求項１記載のコネクタ。
【請求項４】
前記弾性体ブロック又は前記コンタクト保持部材の前記上面上に搭載され、且つ、前記加圧手段による加圧を前記弾性体ブロック又は前記コンタクト保持部材に伝達する金属フレームを更に備えた、請求項２又は請求項３記載のコネクタ。
【請求項５】
前記金属フレームを上下方向に移動可能となるように保持するハウジングと、略クランク軸形状の被保持部及び該被保持部と連続した操作部を有するレバーを更に備えており、
前記ハウジングには、第１孔部が設けられており、
前記金属フレームには、第２孔部が設けられており、
前記被保持部は、前記第１孔部及び前記第２孔部に挿通され、保持されている
請求項４記載のコネクタ。
【請求項６】
前記金属フレームは、前記弾性体ブロック又は前記コンタクト保持部材上に搭載される被搭載部と、該被搭載部から上方向に向かって突出した摺動部を有しており、
該摺動部には、前記第２孔部が設けられており、
前記ハウジングには、前記摺動部を上下方向に摺動可能となるように保持する保持溝が前記第１孔部と連通するように形成されている、
請求項５記載のコネクタ。
【請求項７】
前記レバーの前記被保持部は、クランクジャーナルに相当する第１部位と、該第１部位から延びるクランクアームに相当する第２部位と、該第２部位により前記第１部位と接続されるクランクピンに相当する第３部位とを有しており、
前記第１孔部は、前記第１部位を回動可能となるように保持しており、
前記第２孔部は、前記第３部位を回動可能となるように保持している、
請求項６記載のコネクタ。
【請求項８】
前記金属フレームを上下方向に移動可能となるように保持するハウジングと、断面略楕円形状のカム部及び該カム部と連続した操作部を有するレバーを更に備えており、
前記ハウジングには、第１孔部が設けられており、
前記金属フレームには、第２孔部が設けられており、
前記カム部は、前記第１孔部及び前記第２孔部に挿通され、保持されている
請求項４記載のコネクタ。
【請求項９】
前記コンタクト保持部材を上下方向に移動可能となるように保持するハウジングと、略クランク軸形状の被保持部及び該被保持部と連続した操作部を有するレバーを更に備えており、
前記ハウジングには、第１孔部が設けられており、
前記コンタクト保持部材には、第２孔部が設けられており、
前記被保持部は、前記第１孔部及び前記第２孔部に挿通され、保持されている
請求項３記載のコネクタ。
【請求項１０】
前記コンタクト保持部材は、上方向に向かって突出した摺動部を有しており、
該摺動部には、前記第２孔部が設けられており、
前記ハウジングには、前記摺動部を上下方向に摺動可能となるように保持する保持溝が前記第１孔部と連通するように形成されている、
請求項９記載のコネクタ。
【請求項１１】
前記レバーの前記被保持部は、クランクジャーナルに相当する第１部位と、該第１部位から延びるクランクアームに相当する第２部位と、該第２部位により前記第１部位と接続されるクランクピンに相当する第３部位とを有しており、
前記第１孔部は、前記第１部位を回動可能となるように保持しており、
前記第２孔部は、前記第３部位を回動可能となるように保持している、
請求項１０記載のコネクタ。
【請求項１２】
前記コンタクト保持部材を上下方向に移動可能となるように保持するハウジングと、断面略楕円形状のカム部及び該カム部と連続した操作部を有するレバーを更に備えており、
前記ハウジングには、第１孔部が設けられており、
前記コンタクト保持部材には、第２孔部が設けられており、
前記カム部は、前記第１孔部及び前記第２孔部に挿通され、保持されている
請求項３記載のコネクタ。
【発明の詳細な説明】
【技術分野】
【０００１】
本発明は、相手方コネクタをゼロ挿入力で挿抜可能なコネクタに関する。
【背景技術】
【０００２】
この種のコネクタとしては、例えば、特許文献１に開示されたものがある。特許文献１に開示されたコネクタは、２つのコンタクト列に夫々設けられた２つのカム軸を有するカム機構を備えたものである。かかるコネクタにおいては、カム機構を操作して開いたコンタクト列間に相手方コネクタ（接続対象物）を挿入し、その後、カム機構を再び操作して、２つのカム軸をそれぞれ回転させ、各コンタクト列を弾性変形させる。このコンタクト列の弾性変形によって、コンタクト列間に挿入された相手方コネクタが挟持される。
【０００３】
【特許文献１】特開２００３−１４２２１５号公報
【発明の開示】
【発明が解決しようとする課題】
【０００４】
特許文献１記載のコネクタの場合、例えば、バラツキ等によりカム軸とコンタクト列の初期位置にズレが存在していたりすると、正しく機能しない恐れがある。
【０００５】
そこで、本発明は、バラツキ等により初期位置にズレが存在しても相手方コネクタを挿入力ゼロで挿抜可能なコネクタを提供することを目的とする。
【課題を解決するための手段】
【０００６】
本発明によれば、第１のコネクタとして、
上部及び２つの側部を有し且つ前記側部上に接触部を備えるコンタクト部材であって、初期状態における前記接触部間の距離が所定距離であるコンタクト部材と、
前記コンタクト部材の前記上面を下方向に向けて加圧して前記接触部間の距離を前記所定距離と異ならせるように前記コンタクト部材を変形させるための加圧手段と
を備えており、
前記接触部を相手方コネクタの有する相手方コンタクトに対向させた状態において、前記加圧手段を用いた加圧により前記コンタクト部材を変形させることにより、前記接触部を前記相手方コンタクトに接触させる、コネクタが得られる。
【０００７】
本発明によれば、第２のコネクタとして、第１のコネクタにおいて、
前記コンタクト部材は、弾性体ブロックとフィルムとを備えており、
前記弾性体ブロックは、２つの側面並びに上面及び下面を有しており、
初期状態における前記側面間の距離は前記所定距離であり、
前記フィルムには、前記接触部を有する導体パターンが形成されており、
前記フィルムは、前記接触部が前記側面上に位置し且つ前記導体パターンが前記側面から前記下面にかけて配設されるように、前記弾性体ブロック上に取り付けられており、
前記接触部を前記相手方コンタクトに対向させた状態において前記加圧手段を用いた前記弾性体ブロックの前記上面に対する前記加圧がなされると、前記側面間の距離が前記所定距離と異なるように前記弾性体ブロックが変形し、それによって、前記接触部が前記相手方コンタクトに接触する
コネクタが得られる。
【０００８】
本発明によれば、第３のコネクタとして、第１のコネクタにおいて、
当該コネクタは、基板上に取り付けられるものであり、
前記コンタクト部材は、コンタクトと、該コンタクトを保持するコンタクト保持部材とを備えており、
前記コンタクト保持部材は、２つの側面並びに上面及び下面を有しており、
前記コンタクトは、前記接触部と、前記コネクタが前記基板上に取り付けられた際に前記基板に当接する当接部とを有しており、
前記コンタクトは、前記当接部が前記コンタクト保持部材の前記下面よりも下側に位置するように、前記コンタクト保持部材に保持されており、
前記接触部を前記相手方コンタクトに対向させた状態において前記加圧手段を用いた前記コンタクト保持部材の前記上面に対する前記加圧がなされると、前記接触部間の距離が前記所定距離と異なるように前記コンタクトが変形し、それによって、前記接触部が前記相手方コンタクトに接触する
コネクタが得られる。
【０００９】
本発明によれば、第４のコネクタとして、第２又は第３のコネクタにおいて、
前記弾性体ブロック又は前記コンタクト保持部材の前記上面上に搭載され、且つ、前記加圧手段による加圧を前記弾性体ブロック又は前記コンタクト保持部材に伝達する金属フレームを更に備えた、コネクタが得られる。
【００１０】
本発明によれば、第５のコネクタとして、第４のコネクタにおいて、
前記金属フレームを上下方向に移動可能となるように保持するハウジングと、略クランク軸形状の被保持部及び該被保持部と連続した操作部を有するレバーを更に備えており、
前記ハウジングには、第１孔部が設けられており、
前記金属フレームには、第２孔部が設けられており、
前記被保持部は、前記第１孔部及び前記第２孔部に挿通され、保持されている
コネクタが得られる。
【００１１】
本発明によれば、第６のコネクタとして、第５のコネクタにおいて、
前記金属フレームは、前記弾性体ブロック又は前記コンタクト保持部材上に搭載される被搭載部と、該被搭載部から上方向に向かって突出した摺動部を有しており、
該摺動部には、前記第２孔部が設けられており、
前記ハウジングには、前記摺動部を上下方向に摺動可能となるように保持する保持溝が前記第１孔部と連通するように形成されている、
コネクタが得られる。
【００１２】
本発明によれば、第７のコネクタとして、第６のコネクタにおいて、
前記レバーの前記被保持部は、クランクジャーナルに相当する第１部位と、該第１部位から延びるクランクアームに相当する第２部位と、該第２部位により前記第１部位と接続されるクランクピンに相当する第３部位とを有しており、
前記第１孔部は、前記第１部位を回動可能となるように保持しており、
前記第２孔部は、前記第３部位を回動可能となるように保持している、
コネクタが得られる。
【００１３】
本発明によれば、第８のコネクタとして、第４のコネクタにおいて、
前記金属フレームを上下方向に移動可能となるように保持するハウジングと、断面略楕円形状のカム部及び該カム部と連続した操作部を有するレバーを更に備えており、
前記ハウジングには、第１孔部が設けられており、
前記金属フレームには、第２孔部が設けられており、
前記カム部は、前記第１孔部及び前記第２孔部に挿通され、保持されている
コネクタが得られる。
【００１４】
本発明によれば、第９のコネクタとして、第３のコネクタにおいて、
前記コンタクト保持部材を上下方向に移動可能となるように保持するハウジングと、略クランク軸形状の被保持部及び該被保持部と連続した操作部を有するレバーを更に備えており、
前記ハウジングには、第１孔部が設けられており、
前記コンタクト保持部材には、第２孔部が設けられており、
前記被保持部は、前記第１孔部及び前記第２孔部に挿通され、保持されている
コネクタが得られる。
【００１５】
本発明によれば、第１０のコネクタとして、第９のコネクタにおいて、
前記コンタクト保持部材は、上方向に向かって突出した摺動部を有しており、
該摺動部には、前記第２孔部が設けられており、
前記ハウジングには、前記摺動部を上下方向に摺動可能となるように保持する保持溝が前記第１孔部と連通するように形成されている、
コネクタが得られる。
【００１６】
本発明によれば、第１１のコネクタとして、第１０のコネクタにおいて、
前記レバーの前記被保持部は、クランクジャーナルに相当する第１部位と、該第１部位から延びるクランクアームに相当する第２部位と、該第２部位により前記第１部位と接続されるクランクピンに相当する第３部位とを有しており、
前記第１孔部は、前記第１部位を回動可能となるように保持しており、
前記第２孔部は、前記第３部位を回動可能となるように保持している、
コネクタが得られる。
【００１７】
本発明によれば、第１２のコネクタとして、第３のコネクタにおいて、
前記コンタクト保持部材を上下方向に移動可能となるように保持するハウジングと、断面略楕円形状のカム部及び該カム部と連続した操作部を有するレバーを更に備えており、
前記ハウジングには、第１孔部が設けられており、
前記コンタクト保持部材には、第２孔部が設けられており、
前記カム部は、前記第１孔部及び前記第２孔部に挿通され、保持されている
コネクタが得られる。
【発明の効果】
【００１８】
本発明によるコネクタでは、上下方向の力によってコンタクト部材の水平方向における幅を変化させ、その変化に対して、相手方コネクタの相手方コンタクトと接触する接触部の動きを追従させることにより、接触部と相手方コンタクトとの電気的接触を図ることとしている。このように、小さい上下方向の加重で大きい水平方向の接触力を得ることができるシンプルな構成となっており、従って、特許文献１のようなバラツキ等に起因する問題は生じない。
【００１９】
特に、コンタクト部材として、導体パターンが形成されたフィルムと弾性体ブロックを用いた場合には、従来の金属性のバネコンタクトの役割のうち電気的接続を図ることについては導体パターンを利用することとし、接圧を確保することについては弾性体ブロックの弾性力を利用することとしたため、安定した電気的接続に必要とされる接圧を下げることができる。具体的には、金属性のコンタクトの場合、３０ｇ／芯以上の接圧が必要であったが、それを３ｇ／芯程度に下げることが可能となる。
【００２０】
加えて、上述したようなフィルムと弾性体ブロックからなるコンタクト部材を用いた場合、フィルム上に形成される導体パターンの一部を端子（コンタクト）としたことから、複数のコンタクトを一体化することができ部品点数を大幅に減らすことができると共に、端子の狭ピッチ化を容易に図ることができる。
【発明を実施するための最良の形態】
【００２１】
（第１の実施の形態）
以下、本発明の第１の実施の形態によるコネクタについて、図１乃至図６を参照して、詳細に説明する。
【００２２】
図１に示されるように、本実施の形態によるコネクタ１００は、基板（図示せず）に搭載されるプラグコネクタであり、コネクタ１００と嵌合する相手方コネクタ２００は、相手方基板（図示せず）に搭載されるレセプタクルコネクタである。即ち、本実施の形態におけるコネクタ１００と相手方コネクタ２００とは、基板対基板コネクタ組立体として機能する。なお、本実施の形態における相手方コネクタ２００は、断面コの字形状の相手方ハウジング２１０と、相手方ハウジング２１０に保持された複数の相手方コンタクト２２０を備えている。この相手方コネクタ２００は、従来の方法により製造可能であり、例えば、相手方コンタクト２２０は、相手方ハウジング２１０に対して圧入又はインサート成形により保持されている。
【００２３】
図２乃至図４に示されるように、本実施の形態によるコネクタ１００は、インシュレータからなるハウジング１１０と、ｚ方向において移動可能となるようにハウジング１１０に保持された金属フレーム１２０と、コンタクト部材５００と、金属フレーム１２０を介してコンタクト部材５００に対してｚ方向に沿った力を加える加圧手段として機能するレバー１５０とを備えている。より具体的には、本実施の形態によるコンタクト部材５００は、金属フレーム１２０が搭載される弾性体ブロック１３０と、弾性体ブロック１３０に取り付けられたフィルム１４０とを備えている。レバー１５０が操作されると、金属フレーム１２０を介して弾性体ブロック１３０に対してｚ方向に沿った力が加えられる。
【００２４】
図２及び図３に示されるように、ハウジング１１０は、基板に固定される被固定部１１１と、被固定部１１１に支持された主部１１２を備えている。本実施の形態における被固定部１１１には、被固定部１１１を基板にネジ止めする際に用いられる孔１１３が形成されている。主部１１２は、ハウジング１１０のうち、相手方コネクタ２００に収容される部位であり、本実施の形態においては、ｙ方向において相手方ハウジング２１０よりも若干細く形成されている。従って、ハウジング１１０の主部１１２が相手方ハウジング２１０内に収容される際には、特段の挿入力は必要とされない。
【００２５】
詳しくは、本実施の形態における主部１１２は、中空となっており、ｘ方向における端部にはレバー１５０の一部（後述）を保持するための第１孔部１１４ａ、１１４ｂが形成されている。このうち、一方の第１孔部１１４ａは、ｙ方向に長手を有するような略楕円形状（又は競技用トラック形状でも良い）を有しているのに対して、他方の第１孔部１１４ｂは、略円形状を有しており、第１孔部１１４ａのｙ方向の中心位置に対応する位置に設けられている。ハウジング１１０には、金属フレーム１２０の一部（後述）をｚ方向において摺動可能となるように保持する保持溝１１５ａ，１１５ｂが更に形成されており、第１孔部１１４ａ，１１４ｂは、これら保持溝１１５ａ，１１５ｂとそれぞれ連通している。
【００２６】
図２に示されるように、金属フレーム１２０は、弾性体ブロック１３０上に搭載される被搭載部１２１と、被搭載部１２１からｚ方向に向かって突出した摺動部１２２ａ，１２２ｂを有している。このうち、被搭載部１２１は、弾性体ブロック１３０に搭載され、レバー１５０による加圧を弾性体ブロック１３０に伝達する。摺動部１２２ａ，１２２ｂは、ハウジングの保持溝１１５ａ，１１５ｂにそれぞれ摺動可能に保持されている。摺動部１２２ａ，１２２ｂには、第２孔部１２３ａ，１２３ｂが設けられている。第２孔部１２３ａ、１２３ｂは、いずれもｙ方向に長手を有するような略楕円形状（又は競技用トラック形状でも良い）を有している。
【００２７】
図２及び図４に示されるように、本実施の形態における弾性体ブロック１３０は、ｘ方向に延びる棒状のブロックである。弾性体ブロック１３０は、絶縁性弾性体、特に、シリコーンゴムやゲルなどの粘弾性を有する粘弾性体からなる。詳しくは、弾性体ブロック１３０は、上面１３０ａ及び下面１３０ｂ並びに２つの側面１３０ｃ，１３０ｄを有しており、初期状態における側面１３０ｃ，１３０ｄ間の距離は所定距離Ｄｉである。上面１３０ａ上には、前述の通り、金属フレーム１２０の被搭載部１２１が搭載固定される。弾性体ブロック１３０と金属フレーム１２０は、接着剤等を用いて固定してもよいし、アウトサート成形法を利用して金属フレーム１２０上に弾性体ブロック１３０を直接成形することとしてもよい。なお、本実施の形態における所定距離Ｄｉは、ハウジング１１０のｙ方向における長さ（幅）よりも短い。従って、コネクタ１００が組み立てられた状態において、上方から見た場合（ｚ方向に沿ってみた場合）、弾性体ブロック１３０は、ハウジング１００の下に隠れて見えないようになっている。
【００２８】
図２及び図４に示されるように、フィルム１４０には、相手方コンタクト２２０と電気的接続を図るための導体パターン１４１が設けられている。この導体パターン１４１は、フォトリソグラフィ及びエッチングを利用して形成されたものであり、一般的な金属製のコンタクトと比較して、容易に微細化することが可能であるため、狭ピッチ化が容易となる。フィルム１４０は、導体パターン１４１が弾性体ブロック１３０の側面１３０ｃ，１３０ｄから下面１３０ｂにかけて配設されるように、弾性体ブロック１３０上に接着剤などにより固定されている。
【００２９】
図４及び図６に示されるように、導体パターン１４１の一部は、相手方コネクタ２００の相手方コンタクト２２０と接触する接触部１４２として機能する。図２、図４及び図６から理解されるように、初期状態においては、ｙ方向における接触部１４２間の距離は、所定距離Ｄｉと実質的に等しい。
【００３０】
レバー１５０は、金属フレーム１２０の被搭載部１２１を介して弾性体ブロック１３０の上面１３０ａを下側に向けて加圧して側面１３０ｃ、１３０ｄ間の距離（即ち、接触部１４２間の距離）を所定距離Ｄｉよりも長くなるように弾性体ブロック１３０を変形させるためのものである。図２に示されるように、本実施の形態によるレバー１５０は、略クランク軸形状の被保持部１６０と、被保持部１６０と連続した操作部１７０を有している。操作部１７０には、取っ手１７１が形成されている。
【００３１】
詳しくは、レバー１５０の被保持部１６０は、第１部位１６１ａ，１６１ｂと、第１部位１６１ａ，１６１ｂから延びる第２部位１６２ａ，１６２ｂと、第２部位１６２ａ，１６２ｂにより第１部位と接続される第３部位１６３とを有している。第１部位１６１ａ，１６１ｂはクランク軸におけるクランクジャーナルに相当する部位であり、第２部位１６２ａ，１６２ｂはクランク軸におけるクランクアームに相当する部位である。また、第３部位１６３は、クランク軸におけるクランクピンに相当する部位である。このうち、第１部位１６１ａは、操作部１７０に接続されている。なお、本実施の形態においては、操作部１７０の長手方向と第２部位１６２ａ，１６２ｂの延びる方向とは直交している。
【００３２】
ここで、金属フレーム１２０の摺動部１２２ａ，１２２ｂをハウジング１１０の保持溝１１５ａ，１１５ｂにそれぞれ下側から挿入し、第１孔部１１４ａと第２孔部１２３ａとを対応させ、且つ、第１孔部１１４ｂと第２孔部１２３ｂとを対応させると、前述したように、第１孔部１１４ａと第２孔部１２３ａ，１２３ｂが略楕円形状を有していることから、レバー１５０の被保持部１６０をｘ方向に沿って挿入可能な孔が構成されることとなる。本実施の形態による被保持部１６０は、この孔に挿通され、保持されている。詳しくは、第１部位１６１ａ，１６１ｂは、それぞれ第１孔部１１４ａ，１１４ｂにより回動可能となるように保持されており、第３部位１６３は、第２孔部１２３ａ，１２３ｂにより回動可能となるように保持されている。
【００３３】
かかる構成を備えるコネクタ１００の動作について図５及び図６を用いて簡単に説明する。なお、図６においては、コネクタ１００の搭載される基板３００及び相手方コネクタの搭載される相手方基板４００も図示されている。
【００３４】
まず、相手方コネクタ２００をコネクタ１００の上方から被せるようにして相手方コネクタ２００内にコネクタ１００の殆どを収容する（図５及び図６の上段から中段参照）。この際に、コネクタ１００を相手方コネクタ２００内に挿入するために必要とされる挿入力はゼロである。また、この時点では、弾性体ブロック１３０には何らの力も加えられていないことから弾性体ブロック１３０は変形しておらず、弾性体ブロック１３０の側面１３０ｃ，１３０ｄ間の距離（接触部１４２間の距離）は所定距離Ｄｉのままである。
【００３５】
この状態において、レバー１５０の操作部１７０を時計回りに９０度回転させると、第３部位１６３は第１部位１６１ａ，１６１ｂよりも回転して下側に位置することになり、それに伴って、第３部位１６３を保持する金属フレーム１２０も移動させられる。これにより、弾性体ブロック１３０は、この移動による力が弾性体ブロック１３０の上面１３０ａに加えられ、弾性体ブロック１３０は、ｚ方向において潰れると共にｙ方向において伸びるように変形する（図５及び図６の下段参照）。弾性体ブロック１３０がｙ方向に伸びた結果、側面１３０ｃ，１３０ｄ間の距離（接触部１４２間の距離）が所定距離Ｄｉをより長くなる。この距離が距離Ｄａになると、各接触部１４２が相手方コネクタ２００の相手方コンタクト２２０に対して接触する。なお、本実施の形態における距離Ｄａは、ハウジング１１０の主部１１２のｙ方向における長さ（幅）よりも長い。
【００３６】
上述した実施の形態においては、プラグコネクタに対して面で接触するという低接圧化の工夫を凝らした例について説明してきたが、本発明はこれに限定されるものではなく、例えば、図７に示されるように、レセプタクルコネクタに対して低接圧化の工夫を凝らすこととしてもよい。図７に示されるレセプタクルコネクタは、金属フレーム１２０、弾性体ブロック１３０、フィルム（接触部１４２′を含む導体パターン１４１′）及びレバー１５０のセットを一対備えており、それらをハウジング１１０′の挿入孔１１０ａをｙ方向において挟むようにして対向配置させてなるものである。かかるレセプタクルコネクタの挿入孔１１０ａに対して、断面逆Ｔ字状のハウジング２１０′とコンタクト２２０′を備えるプラグコネクタ２００′を挿入力ゼロにて挿入し、その後、上述した実施の形態同様にレバー１５０を操作して、弾性体ブロック１３０を変形させることにより、低い接圧をもって、レセプタクルコネクタの導体パターン１４１′とプラグコネクタ２００′のコンタクト２２０′との電気的接触を図ることができる。
【００３７】
また、上述した実施の形態において、弾性体ブロック１３０は断面略四角形の棒状といった比較的単純な形状を有するものであり、また、フィルム１４０も同様に単純な形状を有するものであったが、例えば、図８に示されるように、各導体パターンが比較的独立して変形可能となるように、弾性体ブロック１３０″の導体パターン間に相当する位置に凹部１３０ａを設けると共にフィルム１４０″の導体パターン間に相当する位置に切欠部１４０ａを設けることとしてもよい。
【００３８】
また、上述した実施の形態におけるレバーは、略クランク軸形状を有する被保持部とそれに連結された操作部とを備えていたが、本発明は、これに限定されるものではない。例えば、図９に示されるように、略クランク軸形状を有する被保持部に代えて、断面略楕円形状のカム部１５０′及び該カム部１５０′と連続した操作部を有するレバーを備えていることとしても良い。その場合、少なくとも第２孔部は略楕円形状のカム部１５０´の長径以上の直径を有する円形状を有しており、カム部１５０′は、ハウジングに設けられた第１孔部と金属フレームに設けられた第２孔部に挿通され、回転軸１５１′の周りに回転可能となるように保持される。
【００３９】
加えて、上述した実施の形態においては、レバー１５０を利用して弾性体ブロック１３０に力を加えることとしていたが、本発明はこれに限定されるものではなく、弾性体ブロック１３０に下向きの力を加えうる構成であればレバー１５０を用いなくともよい。例えば、金属フレーム１２０を直接押し下げ得る構成として、レバー１５０を省略することとしてもよい。また、金属フレーム１２０に代えて、樹脂製のフレームを用いても良い。
【００４０】
更に、上述した実施の形態においては、相手方コネクタが金属製のコンタクトを備えているものとして説明してきたが、相手方コネクタの相手方コンタクト部分も導体パターンの形成されたフィルムと弾性体ブロックで構成することとしてもよい。
【００４１】
（第２の実施の形態）
以下、本発明の第２の実施の形態によるコネクタ１００ａについて、図１０乃至図１５を参照して、詳細に説明する。図２と図１０とを比較すれば理解されるように、本実施の形態によるコネクタ１００ａは、コンタクト部材５００ａが異なる点を除き、上述した第１の実施の形態によるコネクタ１００と同様の構成を備えている。そのため、図１０乃至図１５に示される構成要素のうち第１の実施の形態と同様の構成要素に対しては同一の参照符号を付すこととし、説明を省略することとする。
【００４２】
図１０乃至図１３に示されるように、本実施の形態によるコンタクト部材５００ａは、絶縁性材料からなるコンタクト保持部材５１０と、コンタクト保持部材５１０に保持された複数の金属コンタクト５３０からなる。
【００４３】
１０乃至図１３に示されるように、コンタクト保持部材５１０は、Ｘ方向を長手方向とするブロックであり、側部５１０ｃ，５１０ｄ及び底部５１０ｂと通ずる収容部５１２と、コンタクト保持部材５１０の上面５１０ａと収容部５１２とを連通する保持部５１４を備えている。コンタクト保持部材５１０の上面５１０ａ上には、金属フレーム１２０の被搭載部が搭載される。また、収容部５１２は、コンタクト５３０の一部を変形可能な状態で収容するための部位であり、保持部５１４はコンタクト５３０の他の部分を保持するためのもの部位である。本実施の形態における保持部５１４は、コンタクト保持部材５１０の上面５１０ａと収容部５１２とを連通しているが、これは製造工程との関係で採用された構造であり、コンタクト５３０を保持できるのであれば、コンタクト保持部材５１０の上面５１０ａと収容部５１２とを連通していなくともよい。
【００４４】
コンタクト５３０は、保持部５１４に圧入され保持される被保持部５３２と、ｚ方向に沿って加えられた力に応じてｙ方向に弾性変形する弾性部５３４と、コネクタ１００ａが基板（図示せず）に搭載される際に基板（図示せず）に当接する当接部５３８とを有している。弾性部５３４のうち被保持部５３２と接続されている部位を除く殆どの部位は、コンタクト保持部材５１０の側方又は下方に位置している。即ち、弾性部５３４のうち被保持部５３２と接続されている部位を除く殆どの部位はコンタクト保持部材５１０の外部に位置している。また、弾性部５３４のｙ方向の最も外側に位置する部位は、相手方コネクタ（２００）の相手方コンタクト（２２０）と接触する接触部５３６として機能する部位であり、対応する２つのコンタクト５３０の接触部５３６間の初期状態における距離は、図１２に示されるように、所定距離Ｄｉとなっている。
【００４５】
かかる構造を有するコンタクト部材５００ａを備えたコネクタ１００ａは、第１の実施の形態に関して図５及び図６を用いて説明したように、相手方コネクタ２００と接続することができる。より具体的には、基板（３００）上に搭載されたコネクタ１００ａに対して相手方コネクタ（２００）を上方から被せるようにして、相手方コネクタ（２００）内にコネクタ１００ａの殆どを収容し、レバー１５０の操作部１７０を時計回りに９０度回転させる。これにより、金属フレーム１２０が下側に移動することになる。この際、コンタクト保持部材５１０には、上面５１０ａを下方向へ押す力が加えられる。この力により、コンタクト５３０は、対応する２つのコンタクト５３０の接触部５３６間の距離が所定距離Ｄｉよりも大きい距離Ｄａとなるように変形する。これにより、相手方コネクタ（２００）の内面に露出している相手方コンタクト（２２０）とコンタクト５３０の接触部５３６とを接触させることができる。
【００４６】
本実施の形態におけるコンタクト５３０の形状について言及すると、弾性部５３４がハーフリング形状を有しているものであったが、本発明はこれに限定されるものではない。たとえば、接触部５３６から受ける反力Ｒを図１４に示されるように成分ごとに分けたとすると、鉛直方向の荷重ＦＴに対して水平方向の接触力ＦＨの方が強くなるのは、接触部５３６が受ける反力Ｒが弾性部５３４の端部（例えば、被保持部５３２側の端部や当接部５３８側の端部）にかかった場合のその力Ｆの方向と水平方向とのなす角度θが０度以上４５度以下の場合であることが理解される。このように、コンタクト５３０の弾性部５３４の形状がハーフリング形状を有していなかったとしても、角度θがかかるような条件を満たしている限り、比較的十分な接圧を得ることができる。但し、図１５に示されるようなハーフリング形状の場合、反力Ｒが弾性部５３４の端部にかかった場合のその力Ｆはすべて水平方向の力ＦＨとなる（換言すると、ＦＴ＝０）。即ち、ハーフリング形状の弾性部５３４によれば、理想的な接圧を得ることができる。
【００４７】
（第３の実施の形態）
以下、本発明の第３の実施の形態によるコネクタ１００ｂについて、図１６を参照して、詳細に説明する。図２及び図１０と図１６を比較すれば理解されるように、本実施の形態によるコネクタ１００ｂは、コンタクト部材５００ｂに金属フレーム１２０の代わりとなる部位を設け、金属フレーム１２０を省略した点を除き、上述した第１の実施の形態及び第２の実施の形態によるコネクタ１００と同様の構成を備えている。そのため、図１６に示される構成要素のうち第１の実施の形態及び第２の実施の形態と同様の構成要素に対しては同一の参照符号を付すこととし、説明を省略することとする。
【００４８】
図１６に示されるように、本実施の形態におけるコンタクト部材５００ｂは、第１及び第２の実施の形態における金属フレーム１２０と同形状の部位と第２の実施の形態におけるコンタクト保持部材５１０とを合わせた形状を有するインシュレータ５５０を備えている。詳しくは、インシュレータ５５０の下部は、第２の実施の形態におけるコンタクト保持部材５１０と同一構造を有しており、コンタクト５３０を保持している。また、インシュレータ５５０の上部５５２は、金属フレーム１２０の被搭載部と同一形状を有しており、コンタクト保持部材５１０の上面上に位置している。インシュレータ５５０の上部５５２の両端には、ｚ方向に向かって延びる摺動部５５４ａ，５５４ｂが形成されている。これら摺動部５５４ａ，５５４ｂは、金属フレーム１２０の摺動部１２２ａ，１２２ｂと同様に、保持溝１１５ａ，１１５ｂに摺動可能に保持される。これら摺動部５５４ａ，５５４ｂには、夫々、第２孔部５５６ａ，５５６ｂが形成されている。これら第２孔部５５６ａ，５５６ｂは、金属フレーム１２０の第２孔部１２３ａ、１２３ｂに対応するものであり、レバー１５０の第３部位１６３を回動可能となるように保持するための部位である。
【００４９】
かかる構造を備える本実施の形態によるコネクタ１００ｂは、第２の実施の形態のコネクタ１００ａと比較して、インシュレータ５５０として一体化したので部品点数を減らすことができる。なお、本実施の形態において、レバー１５０を金属製とするとインシュレータ５５０が削れてしまう可能性もあるので、本実施の形態においては、例えば、レバー１５０も樹脂のような絶縁体とすることが好ましい。
【００５０】
以上説明してきた第２及び第３の実施の形態についても、第１の実施の形態と同様に種々変形可能である。例えば、第２及び第３の実施の形態においても、図７に示されるように、レセプタクル側のコネクタにコンタクト部材を設けることとしてもよい。また、第２及び第３の実施の形態においても、図９に示されるように、断面略楕円形状のカム部を有するようにレバーの形状を変形する等としてもよい。
【図面の簡単な説明】
【００５１】
【図１】本発明の第１の実施の形態によるコネクタ及び相手方コネクタを示す斜視図である。
【図２】図１のコネクタを示す分解斜視図である。
【図３】図２のハウジングを示すIII−III線に沿った断面図である。
【図４】図２の弾性体ブロック及びフィルムを拡大して示した図である。
【図５】図１のコネクタ及び相手方コネクタの嵌合動作を説明するための斜視図である。
【図６】図５に対応する断面図である。
【図７】変形例を示す断面図である。
【図８】弾性体ブロック及びフィルムの変形例を示す斜視図である。
【図９】主としてレバーの変形例を示す断面図である。
【図１０】本発明の第２の実施の形態によるコネクタを示す分解斜視図である。
【図１１】図１０のコネクタのコネクタ部材を構成するコンタクトとコンタクト保持部材を示すXI−XI線に沿った断面図である。
【図１２】図１０のコネクタのコネクタ部材を構成するコンタクトとコンタクト保持部材を示すXII−XII線に沿った断面図である。
【図１３】図１２に対応する断面図であって、コンタクトが変形した状態を示す図である。
【図１４】コンタクト形状の選択条件を説明するために用いられる図である。
【図１５】コンタクトの形状が半円状である場合について説明するための図である。
【図１６】本発明の第３の実施の形態によるコネクタを示す分解斜視図である。
【符号の説明】
【００５２】
１００，１００ａ，１００ｂ        コネクタ
１１０        ハウジング
１１１        被固定部
１１２        主部
１１３        孔
１１４ａ，１１４ｂ        第１孔部
１１５ａ，１１５ｂ        保持溝
１２０        金属フレーム
１２１        被搭載部
１２２ａ，１２２ｂ        摺動部
１２３ａ，１２３ｂ        第２孔部
１３０        弾性体ブロック
１３０ａ        上面
１３０ｂ        下面
１３０ｃ，１３０ｄ        側面
１４０        フィルム
１４１        導体パターン
１４２，１４２′        接触部
１５０，１５０′        レバー
１５１′        回転軸
１６０        被保持部
１６１ａ，１６１ｂ        第１部位
１６２ａ，１６２ｂ        第２部位
１６３        第３部位
１７０        操作部
２００        相手方コネクタ
２１０        相手方ハウジング
２２０        相手方コンタクト
５００，５００ａ，５００ｂ        コンタクト部材
５１０        コンタクト保持部材
５１２        収容部
５１４        保持部
５３０        コンタクト
５３２        被保持部
５３４        弾性部
５３６        接触部
５３８        当接部
５５０        インシュレータ
５５２        上部
５５４ａ，５５４ｂ        摺動部
５５６ａ，５５６ｂ        第２孔部
【図１】
0004785903.tif 000002
【図２】
0004785903.tif 000003
【図３】
0004785903.tif 000004
【図４】
0004785903.tif 000005
【図５】
0004785903.tif 000006
【図６】
0004785903.tif 000007
【図７】
0004785903.tif 000008
【図８】
0004785903.tif 000009
【図９】
0004785903.tif 000010
【図１０】
0004785903.tif 000011
【図１１】
0004785903.tif 000012
【図１２】
0004785903.tif 000013
【図１３】
0004785903.tif 000014
【図１４】
0004785903.tif 000015
【図１５】
0004785903.tif 000016
【図１６】
0004785903.tif 000017